(57)【特許請求の範囲】
【請求項１】
エアーの供給、排気により膨張、収縮する複数の空気室と、複数の空気室が内装されたカフ帯部と、各空気室にエアーを供給する加圧ポンプと、エアーを供給する空気室を選択的に切り替える切替弁と、各空気室から空気を排出する排気弁と、各空気室の膨張、収縮によるマッサージ動作を制御する制御回路と、マッサージ動作を操作するための操作部で構成され、前記カフ帯部を足の施療部位に装着してマッサージを行う足用エアーマッサージ器において、略Ｃ字状の断面を有し、且つ弾性を有するクリップ板をカフ帯部における空気室の外側に配置しているとともに、クリップ板として足の長手方向において複数に分割したものを用いていることを特徴とする足用エアーマッサージ器。
【請求項２】
クリップ板が施療する部位の形に模して成形されていることを特徴とする請求項１記載の足用エアーマッサージ器。
【請求項３】
クリップ板の横方向に溝部を設けて分割していることを特徴とする請求項１乃至２のいずれか１項に記載の足用エアーマッサージ器。
【請求項４】
クリップ板にクリップ板の形状を保持するための補強板を取り付けることを特徴とする請求項１乃至３のいずれか１項に記載の足用エアーマッサージ器。
【請求項５】
加圧ポンプ、切替弁、排気弁、制御回路、操作部を一体に組み込んで操作器を構成することを特徴とする請求項１乃至４のいずれか１項に記載の足用エアーマッサージ器。
【請求項６】
加圧ポンプ、切替弁、排気弁、制御回路、操作部を一体に組み込んで本体を構成し、該本体をカフ帯部と一体化し、且つ該本体をカフ帯部のすね側に配設したことを特徴とする請求項５記載の足用エアーマッサージ器。
【請求項７】
空気室へのエアー供給制御を圧力センサーを用いて行うことを特徴とする請求項１乃至６のいずれか１項に記載の足用エアーマッサージ器。
【請求項８】
空気室内のエアー圧力が所定値以上になった時、排気弁を開放することを特徴とする請求項７記載の足用エアーマッサージ器。
【請求項９】
空気室内のエアー圧力が所定時間内に所定値に達しない場合、排気弁を開放し、異常報知を行うことを特徴とする請求項８記載の足用エアーマッサージ。
【発明の詳細な説明】
【０００１】
【発明の属する技術分野】
本発明は、エアーの供給、排気により膨張、収縮する複数の空気室と、複数の空気室が内装されたカフ帯部と、各空気室にエアーを供給する加圧ポンプと、エアーを供給する空気室を選択的に切り替える切替弁と、各空気室から空気を排出する排気弁と、各空気室の膨張、収縮によるマッサージ動作を制御する制御回路と、マッサージ動作を操作するための操作部で構成され、前記カフ帯部を足の施療部位に装着してマッサージを行う足用エアーマッサージ器に関するものである。
【０００２】
【従来の技術】
従来の足用エアーマッサージ器においては、カフ帯部が布、塩ビ等の柔軟な材料で構成されており、カフ帯部のサイズが大きくなると、カフ帯部内部に送るエアー量が膨大になり、施療部を加圧するのに時間がかかるため、加圧ポンプの容量を大きくしなければならなかった。この結果、加圧ポンプ並びに吸排気弁等の制御弁が大型化し、これに伴ってこれらを収める足用エアーマッサージ器の本体自体も大型のものとなり、本体を床置きするものが一般的であった。このため、使用者の使用時の姿勢に合わせて都度、大型の本体を移動させる必要があり、施療時の取り扱いや操作性において円滑さや柔軟性を欠くものであった。また、この他にエアー圧力の制御方法として、タイマーを用いて行うものがあるが、この場合、カフ帯部の巻き方、足の太さの違い等により、都度エアー圧力が異なってしまうという問題もあった。
【０００３】
【発明が解決しようとする課題】
本発明は、上記の点に鑑みて為されたものであり、カフ帯部のサイズが大きくなっても、カフ帯部内部に送り込むエアー量が少量で済み、その結果、加圧ポンプの小容量化並びに加圧ポンプを収める本体の小型化を実現することができるとともに、施療時における本体の取り扱いや操作が容易且つ円滑に行え、さらには一定のもみ強さでマッサージすることができる足用エアーマッサージ器を提供することを目的としている。
【０００４】
【課題を解決するための手段】
本発明の請求項１に係る足用エアーマッサージ器は、エアーの供給、排気により膨張、収縮する複数の空気室４と、複数の空気室４が内装されたカフ帯部２と、各空気室４にエアーを供給する加圧ポンプ５と、エアーを供給する空気室４を選択的に切り替える切替弁６と、各空気室４から空気を排出する排気弁７ａ，７ｂと、各空気室４の膨張、収縮によるマッサージ動作を制御する制御回路８と、マッサージ動作を操作するための操作部９で構成され、前記カフ帯部２を足の施療部位に装着してマッサージを行う足用エアーマッサージ器において、略Ｃ字状の断面を有し、且つ弾性を有するクリップ板１５をカフ帯部２における空気室４の外側に配置しているとともに、クリップ板１５として足の長手方向において複数に分割したものを用いていることを特徴とするものである。
【０００５】
上記クリップ板１５は施療する部位の形に模して成形されていることが望ましい。
【０００６】
また、クリップ板１５の横方向に溝部１５ｅを設けて分割しているものであってもよい。
また、クリップ板１５にクリップ板１５の形状を保持するための補強板２４を取り付けていてもよい。
【０００７】
また、加圧ポンプ５、切替弁６、排気弁７ａ，７ｂ、制御回路８、操作部９を一体に組み込んで操作器１６を構成することも好ましい。
【０００８】
また、カフ帯部２を下腿部に装着してマッサージを行う足用エアーマッサージ器において、加圧ポンプ５、切替弁６、排気弁７ａ，７ｂ、制御回路８、操作部９を一体に組み込んで本体１を構成し、該本体１をカフ帯部２と一体化し、且つ該本体１をカフ帯部２のすね側に配設したものであってもよい。
【０００９】
また、空気室４へのエアー供給制御を圧力センサー１９を用いて行うことも好ましい。
【００１０】
また、空気室４内のエアー圧力が所定値以上になった時、排気弁７ａ（７ｂ）を開放するものであってもよい。
【００１１】
また、空気室４内のエアー圧力が所定時間内に所定値に達しない場合、排気弁７ａ（７ｂ）を開放し、異常報知を行うものも好ましい。
【００１２】
【発明の実施の形態】
本発明の実施の形態を図１乃至図７に基づいて説明する。
【００１３】
本発明の実施の形態の一例を図１乃至図２に示す。本例の足用エアーマッサージ器は、大きくは左右一対のカフ帯部２（以下、左側カフ帯部２を２ａ，右側カフ帯部２を２ｂとする）と操作器１６から構成される。本例の足用エアーマッサージ器は下腿部用の治療器であるため、カフ帯部２ａ（２ｂ）は下腿部全面を覆えるように下腿部の形に模して成形されており、略Ｃ字状の断面を有する施療帯部２０ａ（２０ｂ）と、施療帯部２０ａ（２０ｂ）の端部に連続して延出された包囲帯部２１ａ（２１ｂ）と、もう一方の施療帯部２０ａ（２０ｂ）の端部から連続して延出された閉じ部２２ａ（２２ｂ）とから構成される。このカフ帯部２ａ（２ｂ）は布、又は塩化ビニル等の柔軟な材料で形成されており、施療帯部２０ａ（２０ｂ）の内部にはゴム製の空気室４が上下に設けてある（以下、カフ帯部２ａの上側の空気室４を４ａ、同下側の空気室４を４ｂ、カフ帯部２ｂの上側の空気室４を４ｃ、同下側の空気室４を４ｄとする）。カフ帯部２ａ（２ｂ）の内部で空気室４ａ（４ｃ），４ｂ（４ｄ）の外側には下腿部の形に模して成形された略Ｃ字状の断面を有するクリップ板１５（以下、カフ帯部２ａ内のクリップ板１５を１５ａ、カフ帯部２ｂ内のクリップ板１５を１５ｂとする）が摺動自在に内装されている。このクリップ板１５ａ（１５ｂ）はカフ帯部２ａ（２ｂ）の施療帯部２０ａ（２０ｂ）を下腿部の形に形成保持するとともに、空気室４ａ（４ｃ），４ｂ（４ｄ）にエアーを加圧供給した際に、空気室４ａ（４ｃ），４ｂ（４ｄ）が外側に膨張するのを防止する役割をする。
【００１４】
これにより、本例のようにカフ帯部２ａ（２ｂ）のサイズが大きい場合でも、カフ帯部２ａ（２ｂ）の内部に送られるエアーが各空気室４ａ（４ｃ），４ｂ（４ｄ）の内側への膨張にのみ使用されるため、施療部をマッサージするのに必要なエアー量が少なくて済む。また、この結果、加圧ポンプ５も小容量化することが可能となる。特に、上記クリップ板１５ａ（１５ｂ）は、下腿部の形に模して成形されているため、空気室４ａ（４ｃ），４ｂ（４ｄ）の膨張を下腿部の形に沿って外側から拘束するので、空気室４ａ（４ｃ），４ｂ（４ｄ）が無駄に膨らむことがなく、空気室４ａ（４ｃ），４ｂ（４ｄ）に送風するエアー量をより少なくすることができる。尚、上記カフ帯部２ａ（２ｂ）の下腿部への装着は、閉じ部２２ａ（２２ｂ）と包囲帯部２１ａ（２１ｂ）との間に形成される開口部２３ａ（２３ｂ）から下腿部を施療帯部２０ａ（２０ｂ）の中に入れ、包囲帯部２１ａ（２１ｂ）を施療帯部２０ａ（２０ｂ）に巻き付けることによって行う。ここで、施療帯部２０ａ（２０ｂ）と包囲帯部２１ａ（２１ｂ）のお互いに当接する面には例えば面状ファスナー等が配設されており、施療帯部２０ａ（２０ｂ）に包囲帯部２１ａ（２１ｂ）を巻き付け固定できるようになっている。
【００１５】
次に操作器１６を説明する。操作器１６のハウジング１６ａの内部には左右一対のカフ帯部２ａ，２ｂ内に上下に配設された４つの空気室４ａ，４ｂと空気室４ｃ，４ｄにエアーを加圧供給する加圧ポンプ５と、空気室４ａ，４ｃ又は空気室４ｂ，４ｄへのエアーの加圧供給の切替を選択的に行う切替弁６と、空気室４ａ，４ｃの排気弁７ａと空気室４ｂ，４ｄの排気弁７ｂと、空気室４ａ，４ｂ，４ｃ，４ｄの膨張、収縮を制御する制御回路８と、加圧ポンプ５からのエアー圧力を検出するための圧力センサー１９（図２に図示）が内装されるとともに、ハウジング１６ａの上面には操作部９が配設され、電源用スイッチ１０と、マッサージ圧の強弱を切り替えるマッサージ圧切替スイッチ２６と、マッサージ圧の強さ（弱）を表示するＬＥＤ２７と、マッサージ圧の強さ（中）を表示するＬＥＤ２８と、マッサージ圧の強さ（強）を表示するＬＥＤ２９と、カフ帯部２ａ，２ｂの上側の空気室４ａ，４ｃが加圧状態にあることを表示するＬＥＤ３０と、カフ帯部２ａ，２ｂの下側の空気室４ｂ，４ｄが加圧状態にあることを表示するＬＥＤ３１が配設してある。尚、操作器１６の後端部からは電源コード１３及び４本のエアーチューブ１８ａ，１８ｂ，１８ｃ，１８ｄが導出され、電源コード１３はコンセントに、４本のエアーチューブ１８ａ，１８ｂ，１８ｂ，１８ｄは左右のカフ帯部２ａ，２ｂの外側に突出させた空気室４ａ，４ｂ，４ｃ，４ｄの給排気口１７ａ，１７ｂ，１７ｃ，１７ｄに接続される。
【００１６】
次に本例の足用エアーマッサージ器の動作説明をする。先ず加圧ポンプ５によって送られたエアーは切替弁６を通過して空気室４ａ，４ｃに供給される。この時、排気弁７ａは閉になっており、空気室４ａ，４ｃは膨張する。そして、排気弁７ａが閉のまま一定時間後に切替弁６が切り替わり、エアーは空気室４ｂ，４ｄに供給される。この時、排気弁７ｂは閉になっており、空気室４ｂ，４ｄは膨張する。さらに一定時間後、排気弁７ａと排気弁７ｂが同時に開になるとともに、加圧ポンプ５も停止し、空気室４の排気が行われる。その後、両排気弁７ａ，７ｂが閉になり、切替弁６が切り替わり、再び空気室４ａ，４ｃが加圧膨張される。以降、上記動作を繰り返すことによりマッサージを行う。尚、本例では、加圧ポンプ５と切替弁６との間に圧力センサー１９を設け、加圧ポンプ５から切替弁６を経由してカフ帯部２ａ，２ｂの空気室４ａ，４ｃ（４ｂ，４ｄ）に送り込まれるエアー圧力を検出し、圧力センサー１９と接続した制御回路８に検出値を送ることによって、エアー圧力が常時一定になるように加圧ポンプ５を制御回路８にてフィードバック制御している。このようにすることで、カフ帯部２ａ，２ｂの巻き方、足の太さの違い等により空気室４のエアー圧力がばらつくことがなく、一定のもみ強さでマッサージすることが可能となる。
【００１７】
尚、上記以外の制御としては、加圧ポンプ５から切替弁６を経由してカフ帯部２ａ，２ｂの空気室４ａ，４ｃ（４ｂ，４ｄ）に送り込まれるエアー圧力が所定値以上になった時、排気弁７ａ（７ｂ）を開放するとともに、ＬＥＤ２７，ＬＥＤ２８，ＬＥＤ２９を点滅させるといった、制御回路８による排気弁７ａ（７ｂ）の開閉制御並びに操作部９による異常報知を行うことも実施可能である。
【００１８】
このようにすることで、空気室４ａ，４ｃ（４ｂ，４ｄ）のエアー圧力が高くなり過ぎて起こる、施療部の鬱血や痛みを防止することが可能となる。或いはまた、制御回路８内にタイマーを設け、加圧ポンプ５の加圧開始時、或いは切替弁６の切替時から所定時間経過しても、加圧ポンプ５から切替弁６を経由してカフ帯部２ａ，２ｂの空気室４ａ，４ｃ（４ｂ，４ｄ）に送り込まれるエアー圧力が所定値に達しない場合、排気弁７ａ（７ｂ）を開放するとともに、異常ブザーを鳴らし、ＬＥＤ３０，ＬＥＤ３１を点滅させるといった、制御回路８による排気弁７ａ（７ｂ）の開閉制御並びに操作部９等による異常報知を行うことも実施可能である。このようにすることで、エアー加圧時間を一定時間以内に制限でき、もみサイクルを違和感のない快適なものにすることができる。
【００１９】
上記のように本発明の足用エアーマッサージ器は、加圧ポンプ５の小容量化に伴い、切替弁６、排気弁７ａ，７ｂも小型化できるため、加圧ポンプ５、切替弁６、排気弁７ａ，７ｂ、制御回路８、操作部９を一体に組み込んだ本体の機能を有する小型軽量の操作器１６を実現し、この操作器１６を手で持って操作することも可能であるため、従来品と比べて施療時における本体の取り扱いや操作を容易且つ円滑に行うことができる。
【００２０】
次に本発明の実施の形態の他の例を図３乃至図４に示す。この足用エアーマッサージ器は下腿部用のもので、大きくはカフ帯部２と本体１から構成される。カフ帯部２の構成は第１の例と略同じであり、略Ｃ字状の断面を有する施療帯部２０と、施療帯部２０に連続して延出された包囲帯部２１とから構成される。施療帯部２０の内部にはゴム製の空気室４ａ，４ｂが上下に配設され、空気室４ａ，４ｂの空気吸入口（図示せず）は本体１内の切替弁６と接続され、他方、空気室４ａ，４ｂの空気排出口（図示せず）は本体１内の排気弁７ａ，７ｂと夫々接続されている。また、カフ帯部２の内部で空気室４ａ，４ｂの外側には下腿部の形に模して成形された略Ｃ字状の断面を有するクリップ板１５が摺動自在に内装されている。このクリップ板１５は第１の例と同じくカフ帯部２の施療帯部２０を下腿部の形に形成保持するとともに、空気室４ａ，４ｂにエアーを加圧供給した際に、空気室４ａ，４ｂが外側に膨張するのを防止する役割をする。
【００２１】
これにより、本例のようにカフ帯部２のサイズが大きい場合でも、カフ帯部２の内部に送られるエアーが各空気室４ａ，４ｂの内側への膨張にのみ使用されるため、施療部２０をマッサージするのに必要なエアー量が少なくて済む。また、この結果、加圧ポンプ５も小容量化することが可能となる。特に、上記クリップ板１５は、下腿部の形に模して成形されているため、空気室４ａ，４ｂの膨張を下腿部の形に沿って外側から拘束するので、空気室４ａ，４ｂが無駄に膨らむことがなく、空気室４ａ，４ｂに送風するエアー量をより少なくすることができるため、効率の良いマッサージを行うことができる。
【００２２】
本体１は図４（ａ）（ｂ）に示すように略Ｃ字状の断面を有するカバー３ａと、その一端から横方向に延出されるカバー３ｂとからその外殻が形成され、内部には、空気室４ａ，４ｂにエアーを加圧供給する加圧ポンプ５と、空気室４ａ，４ｂへのエアーの加圧供給の切替を選択的に行う切替弁６と、空気室４ａの排気弁７ａと空気室４ｂの排気弁７ｂ、及び各空気室４ａ，４ｂの膨張、収縮を制御する制御回路８が内装され、カバー３ｂの前面には操作部９（図３に図示）が設けてある。操作部９には電源用スイッチ１０と、マッサージ圧の強弱を調節するための調節スイッチ１１と、マッサージ圧の周期速度を調節するための調節スイッチ１２が配設されている。また、本体１の下端からは電源コード１３が導出され、電源用のＡＣアダプター１４と繋がっている。
【００２３】
次にこの足用エアーマッサージ器の動作説明をする。先ず加圧ポンプ５によって送られたエアーは切替弁６を通過して空気室４ａに供給される。この時、排気弁７ａは閉になっており、空気室４ａは膨張する。そして、排気弁７ａが閉のまま一定時間後に切替弁６が切り替わり、エアーは空気室４ｂに供給される。この時、排気弁７ｂは閉になっており、空気室４ｂは膨張する。さらに一定時間後、排気弁７ａと排気弁７ｂが同時に開になるとともに、加圧ポンプ５も停止し、両空気室４ａ，４ｂの排気が行われる。その後、両排気弁７ａ，７ｂが閉になり、空気室４ａが再び加圧膨張される。以降、上記動作を繰り返すことによりマッサージを行う。
【００２４】
このように本例の足用エアーマッサージ器は、加圧ポンプ５の小容量化に伴い、本体１が、加圧ポンプ５、切替弁６、空気室４ａの排気弁７ａ、空気室４ｂの排気弁７ｂ、制御回路８を一体に組み込んで構成されているので、連結ホース、リード線の数を少なくすることができ、連結ホース、リード線が本体外に露出して邪魔になることがなく、外観的にも優れたものにすることができる。また、本体１は使用者が下腿部にカフ帯部２を装着した際、すね側に位置するように配されているので、従来品のように操作部９を手に持つ必要がなく、カフ帯部２を装着した状態で、本体１の前面に配設された操作部９を容易に操作することができる。
【００２５】
ところで、クリップ板１５が図５に示すように上下膝部の形に模して成形したものであっても縦方向（足の長手方向）において、分割されていない形状の場合、マッサージ動作の際にクリップ板１５の上下部の各変形が互いに影響を及ぼし合うことになる。
【００２６】
しかし、叙述の例ではカフ帯部２に上下に空気室４ａ（４ｃ），４ｂ（４ｄ）が配設され、これらが順に膨張することで、マッサージが行われる時、図６に示すように上下の空気室４ａ（４ｃ），４ｂ（４ｄ）に対応させて、クリップ板１５を上下２つに分離させると、マッサージ動作の際に空気室４ａ（４ｂ）の膨張によりクリップ板１５ｃ（１５ｄ）に生じる変形を他方のクリップ板１５ｄ（１５ｃ）に伝達しないので、他方のクリップ板１５ｄ（１５ｃ）が余計に変形することがなくなり、各空気室４ａ，４ｂに送風するエアー量がより少なくて済み、より効率の良いマッサージを行うことができる。
【００２７】
また、図７に示すようにクリップ板１５の横方向に溝部１５ｅを設けることで分割してもよく、この場合においても、マッサージ動作の際に空気室４の膨張により生じるクリップ板１５の変形を上下方向に伝達しないので、クリップ板１５の上下方向に余計な変形が生じなくなり、空気室４に送風するエアー量がより少なくて済み、効率の良いマッサージを行うことができる。
【００２８】
また、図８に示すように施療部位の形状及びカフ帯部２の内部に配する空気室４に応じて適宜、複数の溝部１５ｅを設け、クリップ板１５に複数のクリップ板片１５ｆを分割形成することにより、さらに少ないエアー量で効率の良いマッサージを行うことが可能となる。尚、この例では、肋骨状のクリップ板１５の形状を保持するために肋骨状の補強板２４をクリップ板１５の外側に接合穴１５ｇ，２４ｇを合わせた位置で重ね、接合穴１５ｇ，２４ｇに管状金具２５を挿入後、はと目にして補強板２４をクリップ板１５に接合している。このようにクリップ板１５に経時変化の少ない補強板２４を取り付けることにより、長期間使用してもクリップ板形状を維持し、クリップ板１５による上記効果を持続させることができる。
【００２９】
次に本発明の実施の形態の他の例を図９に示す。この足用エアーマッサージ器は、操作部９をその表面３２ａに配した操作ユニット３２を本体１の上部に形成した嵌合部３７と着脱自在にしたものであり、他の構成は第２の例と略同じである。嵌合部３７の底面３７ａにはプレート状のマグネット３３が配設され、他方、操作ユニット３２の裏面３２ｂにもプレート状のマグネット３４が配設され、操作ユニット３２を本体１の嵌合部３７に嵌合すると、両者のマグネット３４，３３が固着し、操作ユニット３２が本体１の上部に固定される。操作ユニット３２を本体１の上部に固定して使用する場合は、操作ユニット３２の表面３２ａに電源用スイッチ１０やマッサージ圧の強弱を調節するための調節ダイヤル３５が配設されているので、使用者は電源用スイッチ１０や調節ダイヤル３５を見ながら操作することができ、操作性が良い。また、嵌合部３７の底面３７ａからはリモコン用コード３６が導出され、操作ユニット３２の裏面３２ｂと繋がっており、操作ユニット３２を嵌合部３７に嵌合すると、本体１内に設けたコード巻き取り機構によって、引き出されたリモコン用コード３６が本体１内に収納されるようになっている。そして、操作ユニット３２を本体１の嵌合部３７から外して使用する場合は、使用者が例えば寝転んだ状態でも操作することができる等、施療時の使用者の姿勢を自由にすることが可能となる。
【００３０】
【発明の効果】
本発明の請求項１に記載の発明にあっては、カフ帯部における空気室の外側に弾性を有するクリップ板を配置することにより、カフ帯部の外側へのふくらみを防止し、カフ帯部のサイズが大きくなっても、カフ帯部内部に送られるエアー量が内側へのふくらみにのみ使用されるため、施療部をマッサージするのにカフ帯部内部に送り込むエアー量が少量で済み、その結果、加圧ポンプも小容量化することができる。また、クリップ板をカフ帯部内部に配設することで、カフ帯部が型くずれしないため、カフ帯部を施療部位に装着する際、カフ帯部を施療部位に仮固定してカフ帯部を巻き付けやすくすることができる。しかも、ここにおけるクリップ板は足の長手方向において複数に分割したものであるために、マッサージ動作の際に空気室の膨張により生じる変形を上下方向に伝達しないので、クリップ板の上下方向に余計な変形がなくなり、空気室に送風するエアー量がより少なくて済み、効率の良いマッサージを行うことができる。
【００３１】
また、クリップ板が施療する部位の形に模して成形されているものでは、空気室が無駄に膨らむことがなく、空気室に送風するエアー量を少なくして効率の良いマッサージを行うことができる。
【００３２】
また、溝部を設けて分割したものでは、個々のクリップ板片の上下方向に余計な変形がなくなり、空気室に送風するエアー量がより少なくて済み、効率の良いマッサージを行うことができる。
【００３３】
また、クリップ板に経時変化の少ない補強板を取り付けることにより、長期間使用してもクリップ板形状を維持し、クリップ板による上記効果を持続させることができる。
【００３４】
また、加圧ポンプの小容量化に伴い、切替弁、排気弁も小型化できるため、加圧ポンプ、切替弁、排気弁、制御回路、操作部を一体に組み込んだ本体の機能を有する小型軽量の操作器を実現することができ、この操作器を手で持って操作することも可能となるため、従来品と比べて施療時における本体の取り扱いや操作を容易且つ円滑に行うことができる。
【００３５】
また、加圧ポンプと切替弁と排気弁と操作部と制御回路が一体に本体に組み込まれ、該本体がカフ帯部と一体に取り付けられていると、施療時は操作部を保持する必要がなく、手が自由に使え、さらにすね側に配置されているので操作部が近く、操作が容易となる。また、連結ホース、リード線の数を少なくすることができ、本体外に露出して邪魔になることがなく、外観的にも優れたものにすることができる。
【００３６】
また、空気室へのエアー供給制御を圧力センサーを用いて行うと、カフ帯部の巻き方、足の太さの違い等により空気室のエアー圧力がばらつくことがなく、一定のもみ強さでマッサージすることが可能となる。
【００３７】
また、空気室内のエアー圧力が所定値以上になった時、排気弁を開放するものでは、空気室のエアー圧力が高くなり過ぎて起こる、施療部の鬱血や痛みを防止することが可能となる。
【００３８】
また、空気室内のエアー圧力が所定時間内に所定値に達しない場合、排気弁を開放し、異常報知を行うものでは、エアー加圧時間を一定時間以内に制限でき、もみサイクルを違和感のない快適なものにすることができる。
【図面の簡単な説明】
【図１】  本発明の実施の形態の一例の足用エアーマッサージ器の概略斜視図である。
【図２】  同上のエアー流路図である。
【図３】  本発明の実施の形態の他の例の足用エアーマッサージ器の概略斜視図である。
【図４】  同上の（ａ）は足用エアーマッサージ器の正面図、（ｂ）はＡ−Ａ線断面図である。
【図５】  本発明の参考例のクリップ板の斜視図である。
【図６】  本発明の実施の形態の他の例のクリップ板の斜視図である。
【図７】  本発明の実施の形態の他の例のクリップ板の斜視図である。
【図８】  本発明の実施の形態の他の例を示し、（ａ）は補強板を取り付けたクリップ板の概略斜視図、（ｂ）はＢ−Ｂ線断面図である。
【図９】  本発明の実施の形態の他の例を示し、（ａ）は足用エアーマッサージ器の概略斜視図、（ｂ）は操作ユニットと本体の嵌合部の斜視図である。
【符号の説明】
１ 本体
２ カフ帯部
４ 空気室
５ 加圧ポンプ
６ 切替弁
７ａ 排気弁
７ｂ 排気弁
８ 制御回路
９ 操作部
１５ クリップ板
１６ 操作器
１９ 圧力センサー
２４ 補強板
【図１】
0003705015.tif 000002
【図２】
0003705015.tif 000003
【図３】
0003705015.tif 000004
【図４】
0003705015.tif 000005
【図５】
0003705015.tif 000006
【図６】
0003705015.tif 000007
【図７】
0003705015.tif 000008
【図８】
0003705015.tif 000009
【図９】
0003705015.tif 000010